(57)【要約】【課題】本発明は、組み立て式で収納スペースをコンパクトにすることができるとともに茶道具を収納することが可能な茶道用点前具を提供することを目的とするものである。【解決手段】茶道用点前具セットは、炉壇が設置できる点前具１及び点前畳用の点前具２を備えており、点前具１は、１対の脚体部１０及び１１、脚体部の間に取り付けられた幕板部１２、脚体部の上部に取り付けられた矩形状の枠体部１３、枠体部１３内の上面に嵌め込まれた炉畳用畳板１４及び点前畳用畳板１５、枠体部１３の隅部に設置された炉壇１６を備えている。点前具２は、１対の脚体部２０及び２１、脚体部の間に取り付けられた幕板部２２、脚体部の上部に取り付けられた矩形状の枠体部２３、枠体部２３内の上面に嵌め込まれた点前畳用畳板２４、建水用引き出し板２５、収納棚２６を備えている。【選択図】図１
2007283114.tif 000002
【特許請求の範囲】
【請求項１】
一対の脚体部と、脚体部の間に着脱可能に取り付けられる幕板部と、脚体部が内側角部に取り付けられる矩形状の枠体部と、枠体部の内側面に設けられた係合部に着脱可能に取り付けられる横木部と、脚体部及び横木部の上面に支持されて枠体部内に着脱可能に嵌め込まれる畳板部と、枠体部と横木部との間に着脱可能に支持される収納トレイ部とを備え、前記枠体部は、上面部において外周側縁の少なくとも一部が前記畳板部の側縁と一致するように形成されていることを特徴とする茶道用点前具。
【請求項２】
前記収納トレイ部は、炉壇本体部を収納していることを特徴とする請求項１に記載の茶道用点前具。
【請求項３】
前記畳板部は、炉畳用及び点前畳用の２つの畳板が前記枠体部内に嵌め込まれていることを特徴とする請求項２に記載の茶道用点前具。
【請求項４】
前記畳板部は、半畳の大きさの点前畳用であることを特徴とする請求項１に記載の茶道用点前具。
【請求項５】
請求項３に記載の茶道用点前具及び請求項４に記載の茶道用点前具を備えた茶道用点前具セット。
【発明の詳細な説明】
【技術分野】
【０００１】
本発明は、茶道において開催される茶会や茶道の稽古で用いられる茶道用点前具に関する。
【背景技術】
【０００２】
日本の伝統的な茶道では茶室内において茶会が開催されるのが一般的であるが、茶室内は畳敷きであるため、茶会に参加する人は畳の上で正座する必要がある。しかしながら、生活様式が椅子とテーブルといった日常的に正座しなくてもすむようになってきているため、茶会において正座することは苦痛になる。また、高齢者の中には正座することが困難な人もいるため、正座する必要のない茶道用点前具が提案されている。
【０００３】
例えば、特許文献１では、脚部により床面から所定の高さに畳を備えた複数の小基台を備え、１つの小基台に炉壇本体を取り付け、小基台の間の切欠き部に茶会主が着席するようにした茶会具が記載されている。また、特許文献２では、脚により水平に支持された基板の上面に畳を設けた道具畳型机が記載されている。また、特許文献３では、脚で支えられた畳天板に形成された入隅に炉を切り、炉の前方に張り出した畳と他の畳を連続させて点前畳とした点が記載されている。
【特許文献１】特開平８−１８７１７７号公報
【特許文献２】特開２０００−６０６５３号公報
【特許文献３】特開２００３−１５３８０７号公報
【発明の開示】
【発明が解決しようとする課題】
【０００４】
上述した従来の茶道用点前具では、椅子に座ってお点前を行うことができるため、従来の茶会のように正座する必要がなくなるが、脚付きの座卓であることから片付ける際に収納スペースが大きくなる欠点がある。また、こうした茶道用点前具を用いることで茶室以外の場所でも茶会を開催することが可能であるが、そうした場合に茶会に必要な茶道具を収納しておくためのスペースを確保する必要がある。
【０００５】
そこで、本発明は、組み立て式で収納スペースをコンパクトにすることができるとともに茶道具を収納することが可能な茶道用点前具を提供することを目的とするものである。
【課題を解決するための手段】
【０００６】
本発明に係る茶道用点前具は、一対の脚体部と、脚体部の間に着脱可能に取り付けられる幕板部と、脚体部が内側角部に取り付けられる矩形状の枠体部と、枠体部の内側面に設けられた係合部に着脱可能に取り付けられる横木部と、脚体部及び横木部の上面に支持されて枠体部内に着脱可能に嵌め込まれる畳板部と、枠体部と横木部との間に着脱可能に支持される収納トレイ部とを備え、前記枠体部は、上面部において外周側縁の少なくとも一部が前記畳板部の側縁と一致するように形成されていることを特徴とする。さらに、前記収納トレイ部は、炉壇本体部を収納していることを特徴とする。さらに、前記畳板部は、炉畳用及び点前畳用の２つの畳板が前記枠体部内に嵌め込まれていることを特徴とする。さらに、前記畳板部は、半畳の大きさの点前畳用であることを特徴とする。
【発明の効果】
【０００７】
本発明は、上記のような構成を備えることで、脚体部、幕板部、枠体部、横木部、畳板部及び収納トレイ部をそれぞれユニット化しこれらを組み立てて簡単に茶道用点前具に構成することができ、片付ける場合には各ユニットに分解して収納することで収納スペースを小さくすることが可能となる。また、枠体部と横木部との間に着脱可能に支持された収納トレイ部を設けているので、必要な茶道具を収納しておくことができ、必要に応じて上方から畳板部で覆うことで茶会を行う際に不必要な茶道具が目に付くことがなくなる。また、幕板部を設けているので、内部の収納トレイ部が外部から見えないようにすることができ、茶会の雰囲気にふさわしいシンプルなデザインの茶道用点前具となる。
【０００８】
そして、枠体部は、上面部において外周側縁の少なくとも一部が畳板部の側縁と一致するように形成されているので、収納トレイ部内の茶道具を出し入れする際に簡単に畳板部に指をかけて上げることができるようになる。また、枠体部の外周側縁が畳板部の側縁と一致しているので、お点前を行う際に枠体部の上面が見えなくなって畳敷きの茶室内と同様のお点前を行うことが可能となる。
【０００９】
また、収納トレイ部に炉壇本体部を収納するようにすれば、炉壇についてもユニット化して着脱可能に取り付けることができる。また、畳板部として炉畳用及び点前畳用の２つの畳板を用い、これらの畳板を枠体部に嵌め込むようにすれば、炉壇を取り付けた場合の炉畳及び柄杓を載置するための点前畳を再現することができる。そして、点前畳用の畳板のお点前を行う側の側縁を枠体部の外周側縁と一致させることで、枠体部の上面が露出せず畳敷きの茶室と同様の状態でお点前を行うことができる。
【００１０】
また、畳板部として半畳の大きさの点前畳用とすることで、畳敷き茶室の点前畳と同様に茶道具を並べるための茶道用点前具として用いることができる。そして、この場合にもお点前を行う側の側縁を枠体部の外周側縁と一致させることで、枠体部の上面が露出せずお手前を行う側が畳だけが見える状態となって畳敷きの茶室と同様の状態でお点前を行うことができる。
【００１１】
また、炉壇本体部を収納トレイ部に収納して上面に炉畳用及び点前畳用の畳板を嵌め込んだ茶道用点前具と上面に半畳の大きさの点前畳用の畳板を嵌め込んだ茶道用点前具を畳敷き茶室と同様に配列して用いることで茶室と同様のお点前を行うことが可能な茶道用点前具セットとすることができる。
【発明を実施するための最良の形態】
【００１２】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１３】
図１は、本発明に係る実施形態を用いた茶道用点前具セットに関する斜視図であり、図２から図６は、それぞれ図１に示す茶道用点前具セットの上面図、Ａ（前）方向から見た正面図、Ｂ（左）方向から見た側面図、Ｃ（後）方向から見た背面図及びＤ（右）方向から見た側面図を示している。
【００１４】
図１に示す茶道用点前具セットは、炉壇が設置できる点前具１及び点前畳用の点前具２を備えており、点前具１は、１対の脚体部１０及び１１、脚体部１０及び１１の間に着脱可能に取り付けられた１対の幕板部１２、脚体部１０及び１１の上部に取り付けられた矩形状の枠体部１３、枠体部１３内の上面に嵌め込まれた炉畳用畳板１４及び点前畳用畳板１５、並びに、枠体部１３の隅部に設置された炉壇１６を備えている。
【００１５】
点前具２は、１対の脚体部２０及び２１、脚体部２０及び２１の間に着脱可能に取り付けられた幕板部２２、脚体部２０及び２１の上部に取り付けられた矩形状の枠体部２３、枠体部２３内の上面に嵌め込まれた点前畳用畳板２４、建水用引き出し板２５、並びに、収納棚２６を備えている。
【００１６】
四畳半の広さの茶室では、図７に示すようなレイアウトで畳が敷かれており、茶道用点前具セット１では、こうした茶室の畳敷きのレイアウトに従って炉畳用畳板１４、細長い点前畳用畳板１５及び半畳の大きさの点前畳用畳板２４がレイアウトされている。そして、炉畳用畳板１４の畳縁１４ａは正面側及び背面側の２つの側縁に設けられ、点前畳用畳板１５の畳縁１５ａは正面側の側縁のみ設けられ、点前畳用畳板２４の畳縁２４ａは正面側及び背面側の２つの側縁に設けられている。また、後述するように、点前畳用畳板１５及び２４の側縁が連続するように各畳板の側縁と枠体部１３及び２３の外周側縁が一致するようにされており、茶室の畳敷きが忠実に再現されている。したがって、椅子３に座ってお点前を行う場合、お点前を行う側の枠体部の上面は畳板に覆われており、茶室と同様の状態でお点前の所作をすることができる。
【００１７】
炉畳用及び点前畳用の畳板は、畳表が表面に表出した板状体であり、例えば合成樹脂製の薄板の表面に畳表を密着させて周縁部を折り返すようにして固定することで作成すればよい。
【００１８】
図８は、点前具１に関する分解斜視図である。脚体部１０は、１対の角柱状足部材１０ａ及び１０ｂの間に側面板１０ｃが足部材の軸方向に沿って嵌め込まれて固定されており、足部材１０ａ及び１０ｂの下面部には、細長い底面板１０ｄが固定されている。脚体部１１についても同様に、１対の角柱状足部材１１ａ及び１１ｂの間に側面板１１ｃが嵌め込み固定され、足部材１１ａ及び１１ｂの下面部に底面板１１ｄが固定されている。
【００１９】
点前具１の高さを調整する場合には、底面板１０ｄ及び１１ｄの厚さを変更したり、複数の底面板を重ねて取り付けることで調整すればよい。
【００２０】
脚体部１０及び１１の各足部材の対向する面には軸方向に沿ってスリット溝が形成されており、このスリット溝に幕板部１２の両側端を上方から挿入して取り付ける。幕板部１２は、脚体部１０及び１１の間にこのように取り付けられるので、簡単に取り外すことができる。また、この例では、幕板部１２は、椅子に座った茶会主からみて奥側及び手前側に２枚取り付けられているが、奥側のみ取り付けるようにしてもよい。
【００２１】
また、脚体部１０の足部材１０ａ及び１０ｂの上部にはそれぞれ所定の高さに段差部１０ｅ及び１０ｆが形成されており、各段差部にはＬ字状の固定金具１０ｇ及び１０ｈの片側部分がネジにより固定されている。同様に、脚体部１１の足部材１１ａ及び１１ｂの上部にはそれぞれ所定の高さに段差部１１ｅ及び１１ｆが形成されており、各段差部にはＬ字状の固定金具１１ｇ及び１１ｈの片側部分がネジにより固定されている。
【００２２】
枠体部１３は、所定の厚さの板材を用いて矩形状に形成されており、内側角部がそれぞれ段差部１０ｅ、１０ｆ、１１ｅ及び１１ｆに嵌め込まれて固定金具１０ｇ、１０ｈ、１１ｇ、１１ｈにより固定される。枠体部１３の内面には予めネジ穴部を埋設しておき、固定金具の残りの片側部分をネジ穴部に対向させてネジで固定するようにすれば、枠体部１３を脚体部１０及び１１から簡単に取り外すことができる。
【００２３】
枠体部１３の内側面には、横木１７を支持するための１対の係合部１３ａが左右方向に対向配置されており、横木１８を支持するための１対の係合部１３ｂが前後方向に対向配置されており、横木１９を支持するための１対の係合部１３ｃが前後方向に対向配置されている。そして、係合部１３ａ及び１３ｂは枠体部１３の下部の同じ高さの位置に固定されており、係合部１３ｃは枠体部１３の上部の位置に固定されている。
【００２４】
横木１７は、両端部を係合部１３ａに上方から嵌め込むことで左右方向に取り付けられ、横木１８は両端部を係合部１３ｂに上方から嵌め込むことで前後方向に取り付けられる。そして、横木１７及び１８が交差する部分には互いに切欠きが形成されて接合されており、横木１７及び１８の上面が足部材１１ａの上面とほぼ同じ高さになるように設定される。足部材１１ａの上面は、炉縁１６ａの厚さ分だけ低く設定されている。
【００２５】
また、横木１９は、係合部１３ｃに上方から嵌め込むことで前後方向に取り付けられる。枠体部１３の点前畳用畳板１５の後側及び左側の側縁が当接する外周側縁１３ｅ及び１３ｄは、畳板１５の厚さだけ低くなるように段差が形成されている。そして、取り付けられた横木１９の上面の高さは外周側縁１３ｅ及び１３ｄとほぼ同じ高さになるように設定されている。また、足部材１０ａ、１０ｂ及び１１ｂの上面の高さも外周側縁１３ｅ及び１３ｄとほぼ同じ高さになるように設定されている。
【００２６】
そして、横木１７、１８及び１９は、係合部に対して上方から嵌め込むことで取り付けられているので、簡単に取り外すことができる。
【００２７】
枠体部１３の内部には、交差する横木１７及び１８の上面と足部材１０ａ、１０ｂ、１１ａ及び１１ｂの上面とを支持面として収納トレイ部３０から３３が設けられている。各収納トレイ部は、六面体の箱状に形成され上方が開口しており、開口部の周囲にフランジ部が形成されている。そして、フランジ部を支持面に載置して設置されるようになっている。収納トレイ部３０は、横木１７及び１８と足部材１１ａの上面を支持面として設置されており、内部に炉壇本体部１６が収納され、その上面に矩形状の炉縁１６ａが配置される。収納トレイ部３０は、炉壇本体部１６を収納するため、断熱材により作成するとよい。そして、炉縁１６ａの上面が枠体部１３の上面とほぼ一致するように設置される。
【００２８】
収納トレイ部３１は、横木１７及び１８の上面と枠体部１３の内側面に固定された支持片１３ｆを支持面として設置され、収納トレイ部３２は、横木１７及び１８の上面と枠体部１３の内側面に固定された支持片１３ｇを支持面として設置され、収納トレイ部３３は、横木１７及び１８の上面と枠体部１３の内側面に固定された支持片１３ｈを支持面として設置される。
【００２９】
炉畳用畳板１４は、横木１９の上面、足部材１０ａの上面及び枠体部１３の内側面に固定された支持片１３ｉを支持面として収納トレイ部３１を覆うように嵌め込まれ、炉縁１６ａに隣接して配置される。また、点前畳用畳板１５は、横木１９の上面、足部材１０ｂ及び１１ｂの上面、支持片１３ｉ、外周側縁１３ｅ及び１３ｄの上面を支持面として収納トレイ部３２及び３３を覆うように嵌め込まれ、炉縁１６ａ及び炉畳用畳板１４に隣接して配置される。
【００３０】
図９及び図１０は、図２におけるＸ−Ｘ断面図及びＹ−Ｙ断面図をそれぞれ示している。収納トレイ部３０及び３１は、収納トレイ部３２及び３３に比べて開口が大きく内容積が広く形成されている。手前側の収納トレイ部３２及び３３を浅く形成しておくことで、通常のテーブルとして使用する場合に足が入るようにすることができる。こうした収納トレイ部には、炉壇の外に茶会に用いる茶碗等の茶道具を大きさに応じて整理して収納しておくことが可能となる。
【００３１】
図１１は、点前具２に関する分解斜視図である。脚体部２０は、１対の角柱状足部材２０ａ及び２０ｂの間に側面板２０ｃが足部材の軸方向に沿って嵌め込まれて固定されており、足部材２０ａ及び２０ｂの下面部には、細長い底面板２０ｄが固定されている。脚体部２１についても同様に、１対の角柱状足部材２１ａ及び２１ｂの間に側面板２１ｃが嵌め込み固定され、足部材２１ａ及び２１ｂの下面部に底面板２１ｄが固定されている。
【００３２】
点前具２の高さを調整する場合には、底面板２０ｄ及び２１ｄの厚さを変更したり、複数の底面板を重ねて取り付けることで調整すればよい。
【００３３】
脚体部２０及び２１の各足部材の奥側の対向する面には軸方向に沿ってスリット溝が形成されており、このスリット溝に幕板部２２の両側端を上方から挿入して取り付ける。幕板部２２は、脚体部２０及び２１の間にこのように取り付けられるので、簡単に取り外すことができる。
【００３４】
また、脚体部２０の足部材２０ａ及び２０ｂの上部にはそれぞれ所定の高さに段差部２０ｅ及び２０ｆが形成されており、各段差部にはＬ字状の固定金具２０ｇ及び２０ｈの片側部分がネジにより固定されている。同様に、脚体部２１の足部材２１ａ及び２１ｂの上部にはそれぞれ所定の高さに段差部２１ｅ及び２１ｆが形成されており、各段差部にはＬ字状の固定金具２１ｇ及び２１ｈの片側部分がネジにより固定されている。
【００３５】
枠体部２３は、所定の厚さの板材を用いて矩形状に形成されており、内側角部がそれぞれ段差部２０ｅ、２０ｆ、２１ｅ及び２１ｆに嵌め込まれて固定金具２０ｇ、２０ｈ、２１ｇ、２１ｈにより固定される。枠体部２３の内面には予めネジ穴部を埋設しておき、固定金具の残りの片側部分をネジ穴部に対向させてネジで固定するようにすれば、枠体部２３を脚体部２０及び２１から簡単に取り外すことができる。
【００３６】
枠体部２３の手前側の内側面には、建水用引き出し板２５を支持する１対の支持体２５ａ及び２５ｂが固定されており、支持体２５ａ及び２５ｂの対向する面に形成された摺動溝に建水用引き出し板２５が挿着されている。
【００３７】
また、脚体部２０及び２１の間には、収納棚２６が床面に設置されており、収納棚２６は断面コ字状の収納フレーム２６ａの底面部に棚板２６ｂが出し入れ可能に設けられており、お点前の最中に使用するもの等を収納して出し入れする場合に便利である。
【００３８】
枠体部２３の内側面には、横木２７及び２８を支持するための１対の係合部２３ａ及び２３ｂがそれぞれ前後方向に対向配置されており、枠体部２３の手前側の上面部は、点前畳用畳板２４の厚さ分だけ切り欠いて段差部２３ｃが形成されている。
【００３９】
枠体部２３の内側面には、支持片２３ｄが固定されており、支持片２３ｄに対向する横木２７の部分には切欠いて段差部２７ａが形成されている。そして、収納トレイ部３４が支持片２３ｄ及び段差部２７ａを支持面として枠体部２３の内部に設置されている。
【００４０】
点前畳用畳板２４は、枠体部２３の上方から全体を覆うように取り付けられており、足部材２０ａ、２０ｂ、２１ａ及び２１ｂの各上面、横木２７及び２８の上面、枠体部２３の段差部２３ｃを支持面として嵌め込まれる。
【００４１】
図１２は、図２におけるＺ−Ｚ断面図を示している。収納トレイ部３４は、他の収納トレイ部と同様に、六面体の箱状に形成され上方が開口しており、開口部の周囲にフランジ部が形成されている。そして、フランジ部を支持面に載置して設置されるようになっている。そして、枠体部１３及び２３が重なる部分の幅とほぼ同じ幅の大きさを有しており、点前具２内のスペースを収納に有効活用することができる。
【００４２】
図１３は、畳板１４、１５及び２４並びに炉壇１６及び炉縁１６ａを取り外した状態を示す斜視図である。畳板１５及び２４は、それぞれ手前側の側縁が枠体部の外周側縁とほぼ一致するようにされているため、側縁に指を掛けて容易に引き上げて開くことができ、内部に設置した収納トレイ部から茶道具の出し入れを簡単に行うことが可能となる。また、手前側の枠体部の外周側縁が畳板で覆われているため、畳敷きの茶室と同様の状態にすることができる。
【００４３】
なお、炉壇１６を使用しない場合には炉縁１６ａに代えて別途畳板を嵌め込むようにすればよく、用途に応じて様々な形態で利用することができる。
【００４４】
以上説明したように、本発明に係る茶道用点前具は、各部材を簡単に組み立てて構成することができ、また各部材に分解して収納しておくことも可能で、収納スペースを小さくすることができ、また茶室以外の場所で茶会を開催する場合に好適である。また、椅子に座って茶室と同様のお点前を行うことができるため、高齢者のように正座が困難な人や若者の中で正座が苦手という人でも気軽にお点前を嗜むことができるようになる。
【図面の簡単な説明】
【００４５】
【図１】本発明に係る実施形態に関する斜視図である。
【図２】図１に示す実施形態に関する上面図である。
【図３】図１に示す実施形態に関する正面図である。
【図４】図１に示す実施形態に関する側面図である。
【図５】図１に示す実施形態に関する背面図である。
【図６】図１に示す実施形態に関する側面図である。
【図７】茶室の畳敷きのレイアウトに関する説明図である。
【図８】点前具に関する分解斜視図である。
【図９】図２におけるＸ−Ｘ断面図である。
【図１０】図２におけるＹ−Ｙ断面図である。
【図１１】点前具に関する分解斜視図である。
【図１２】図２におけるＺ−Ｚ断面図である。
【図１３】畳板を取り外した状態を示す斜視図である。
【符号の説明】
【００４６】
１    点前具
10    脚体部
11    脚体部
12    幕板部
13    枠体部
14    炉畳用畳板
15    点前畳用畳板
16    炉壇
２    点前具
20    脚体部
21    脚体部
22    幕板部
23    枠体部
24    点前畳用畳板
25    建水用引き出し板
26    収納棚
30    収納トレイ部
31    収納トレイ部
32    収納トレイ部
33    収納トレイ部
34    収納トレイ部
【図１】
2007283114.tif 000003
【図２】
2007283114.tif 000004
【図３】
2007283114.tif 000005
【図４】
2007283114.tif 000006
【図５】
2007283114.tif 000007
【図６】
2007283114.tif 000008
【図７】
2007283114.tif 000009
【図８】
2007283114.tif 000010
【図９】
2007283114.tif 000011
【図１０】
2007283114.tif 000012
【図１１】
2007283114.tif 000013
【図１２】
2007283114.tif 000014
【図１３】
2007283114.tif 000015